【事件の表示】
　特願２００１−３６４６２９「３次元地図情報検索システム」拒絶査定不服審判事件〔平成１５年　６月　６日出願公開、特開２００３−１６２２１９〕について、次のとおり審決する。
【結　論】
　本件審判の請求は、成り立たない。
【理　由】
Ｉ．手続の経緯
　本願手続の概要は、次のとおりである。
　特許出願　　　　　　　　　　平成１３年１１月２９日
　拒絶理由通知書発送　　　　　平成１８年　３月２８日
　意見書・手続補正書提出　　　平成１８年　５月２９日
　拒絶査定謄本送達　　　　　　平成１８年　９月２６日
　審判請求　　　　　　　　　　平成１８年１０月２６日
　手続補正書提出　　　　　　　平成１８年１１月２７日
　
II．平成１８年１１月２７日付け手続補正についての補正却下の決定
［Ｉ］補正却下の決定の結論
　平成１８年１１月２７日付け手続補正を却下する。
　
［II］理由
１．本件補正の内容
　平成１８年１１月２７日付け手続補正（以下、「本件補正」という。）は、本願明細書の特許請求の範囲の請求項１を
「【請求項１】　ユーザーに３次元表示による各種地図情報を提供する地図情報の検索システムであって、
　ビル及び建造物を含む諸施設を立体化して表示する３次元の白地図情報を格納する３Ｄ地図データベースと、
　前記白地図上に合成されて挿入されるアニメーション表示可能な３次元の各種オブジェクトを格納するオブジェクトデータベースと、
　前記白地図上の諸施設及び合成されて挿入されたオブジェクトに付随する各種属性情報を格納する属性情報データベースと、
　前記白地図上に前記オブジェクトが合成されて挿入され編集された編集地図情報を格納する編集地図データベースと、
　前記各データベースの検索及び更新を処理するデータベース管理手段と、
　前記白地図上に合成されて挿入されアニメーション表示により変化及び移動する３次元のオブジェクトの生成と編集とを処理し前記オブジェクトデータベースに格納するオブジェクト管理手段と、
　前記白地図上の諸施設及び前記白地図上合成されて挿入されるオブジェクトに付随する情報として定義され編集された各種属性情報を前記属性情報データベースに格納する属性情報管理手段と、
　前記オブジェクト管理手段及び属性情報管理手段によって処理された前記白地図と前記オブジェクトとが合成された３次元地図上に速度と進行方向の属性を有する広告宣伝媒体を予め定められた法則に基づきアニメーション表示により変化及び移動させて表示するための編集地図情報を前記編集地図データベースに格納する編集地図管理手段と、
　通信ネットワークを介してユーザー端末と３次元による地図情報の授受を行うＷｅｂサーバーと、を備えるシステム管理装置を有
し、
　前記システム管理装置は、前記Ｗｅｂサーバーにより、前記ユーザー端末から前記３次元地図上で対象物である諸施設または他のオブジェクトが指定されることによって、該対象物の電話番号、データ検索および宅配票の記入操作を含む各種属性へのアクセス及び編集を可能に
　なお、本件補正後の請求項１には、「オブジェク」及び「前記性情報」との記載があるが、それぞれ、「オブジェクト」及び「前記属性情報」の誤記と認められるので、上記のとおり認定した。　
　
２．引用例
　原査定の拒絶の理由に引用された特開平９−３４９０２号公報（以下、「引用例３」という。）には、図とともに次の記載がある。　
「【０００１】
【発明の属する技術分野】本発明は、コンピュータシステムを用いた広告情報の供給方法に関わり、特に、広告情報をほぼリアルタイムに掲載、更新、削除することが可能な広告情報の供給方法、およびそのための登録方法に関する。」
「【０００９】
【発明の実施の形態】まず、本発明の実施形態の説明をする前に、本願発明の位置付けを説明する。広告とは、ある者がその者の商品・サービス等に関し、その消費者等に成り得る者に対して宣伝等を行なうことであるが、その情報の提供は、第三者を介して行なわれることもある。本願発明は、このような「第三者」に相当する部分である。次に、このような本願の位置付けを考慮して、以下の説明で使用する字句等の意味が定められる。例えば、以下の説明では、広告情報を提供する者、すなわち広告をしたい者を「広告依頼者」とし、広告情報の提供を受ける者、すなわち消費者等に成り得る者を「広告受給者」としている。ここで「広告依頼者」を「広告提供者」としなかったのは、「広告受給者」から見れば、本願発明も「広告依頼者」も同じ「広告提供者」となって、混同を生じるおそれがあるからである。
【００１０】１：全体構成
以下、本発明における一実施形態について図面を参照して説明する。図１は、本実施形態の構成を示すブロック図である。この図において、符号１０はサーバであり、経路制御装置、電話回線を経由してインターネットＮＥＴに接続されている。符号１０１、１０２、…は各種の端末であり、サーバ１０と同様にしてインターネットＮＥＴに接続される。ここで、端末１０１、１０２、…は、それぞれＣＲＴやＬＣＤ等の表示部とともに、キーボード、マウス等の入力部を有する。
【００１１】１−１：サーバの構成
次に、サーバ１０の詳細構成について説明する。図２は、サーバ１０の構成を示すブロック図である。この図において、符号１１は制御手段であり、ＣＰＵ等から構成され、各部の制御や、データの転送、種々の演算、データの一時的な格納等を行なう。符号１２は入力制御手段であり、インターネットＮＥＴを介して接続された端末から入力されるデータを制御する。符号１３は出力制御手段であり、端末に出力されるデータを制御する。符号１４〜１７はいずれも記憶手段であり、それぞれ以下のファイルが格納、記憶されている。
【００１２】まず、記憶手段１４には、メインプログラムが記憶されている。かかるメインプログラムは、制御手段１１において用いられるものであり、例えば、端末の表示部に案内画面を表示させるプログラムや、地図上に所望とする業種の店舗のみを表示させる仮装マーケット用プログラム、文字検索により必要な情報を得るための検索用プログラム等から構成される。他に、この記憶手段１４には、端末１０１、１０２、…から送信されてきた広告に関する感想等の情報が一時的に格納される。なお、これらの動作については、いずれも後述する。次に、記憶手段１５には、地図ファイルが記憶されている。本実施形態における地図ファイルは、３層の階層構造であって、上層は日本地図であり、中層は都道府県別の地図であり、下層は区分（例えば、市町村単位、繁華街単位）地図である。なお、各層の地図は、いずれもビットマップ形式である。記憶手段１６には、キャラクタファイルが記憶されている。かかるキャラクタファイルは、表示用文字データや、アイコンのビットマップデータ等から構成されており、後述する動作の際に参照されるようになっている。なお、アイコンのビットマップデータは、それぞれ業種毎に異なって記憶されている。そして、記憶手段１７には、顧客ファイルが記憶されている。かかる顧客ファイルは、店登録番号毎に作成されるものであり、１つの店登録番号に対応する顧客ファイルは、登録者ＩＤ、パスワード、店舗情報、（ｘ，ｙ）情報等のように店舗固有の情報から構成される。このうち、店舗情報は、さらに店名や、電話番号、ファックス番号、（最寄り駅から店舗までの）行程、店舗の業種を示す業種情報、（他の情報と結びつける場合に、参照すべきネットワーク上の情報の行先を示す）リンク情報、（広告の内容を示す）広告メッセージ等のように、広告対象の店舗に関する種々の情報から構成される。本願の広告情報とは、狭義では広告メッセージを指すが、広義には、店舗情報よりも上位であって、顧客ファイル作成に必要な情報のすべてを指す。なお、店登録番号は、端末からの登録があった場合に、制御手段１１により自動的に付与されるものである。また、（ｘ，ｙ）情報とは、店舗の位置が、ビットマップ形式の地図ファイルにおいてどの地点（座標）であるかを示す情報である。」
　
「【００１３】２：動作説明
次に、本実施形態の動作について説明する。ここで、端末１０１、１０２、…は、それぞれサーバ１０と接続されて通信を行ない、いずれも広告依頼者の端末としても、広告受給者の端末としても機能するが、説明便宜上、サーバ１０には端末１０１が接続されたとして、以下説明を行なう。サーバ１０に端末１０１が接続されると、制御手段１１は、この接続を入力制御手段１２を介して検知し、メインプログラムにしたがって端末１０１を制御する。図３および図４は、かかるメインプログラムの動作を示すフローチャートである。
【００１４】２−１：登録
まず、顧客ファイルの作成過程を説明すべく、端末操作者が新規の広告依頼者（あるいはその代理人）であるとする。
【００１５】２−１−１：新規登録
まず、図３に示したステップＳａ１において、制御手段１１は、端末１０１の表示部に対し、図５に示すようなメインメニュー画面を表示させ、端末操作者に対して、本実施形態の処理である「地図」、「仮想マーケット」、「検索」、および「登録」の中から所望する処理を選択するように促す。かかる、メインメニュー画面においては、マウスカーソルＭＣが表示され、所定の場所をクリックすることにより、種々の操作を行なえるようになっている。例えば、ボタン２１1〜２１4のいずれかの表示領域に、マウスカーソルＭＣを位置させてクリックすれば、当該表示領域で示された処理が行なわれ、また、三角形状のボタン２２Ｕ、２２Ｄ、２２Ｌ、２２Ｒの表示領域に、マウスカーソルＭＣを位置させてクリックすれば、当該三角形の頂点で定まる長方形状の表示エリアが、それぞれ上、下、左、右にスクロールするようになっている。
【００１６】ここでは、端末操作者は、マウスカーソルＭＣをボタン２１4の表示領域に位置させた後、クリック操作を行なって「登録」の処理を選択する。すると、これを検知した制御手段１１は、手順を図４に示したステップＳｂ１に進ませて、端末１０１の表示部に対し、図６に示すような登録メニュー画面を表示させるように制御する。なお、この登録メニュー画面においては所定の操作により、メインメニュー画面（ステップＳａ１）に戻ることができるようになっている。また、以下のステップＳｂ２〜Ｓｂ１５では、所定の操作によって、いつでも、この登録メニュー画面に戻ることができるようになっている。さて、この登録メニュー画面には、「新規登録」、「既登録の更新」、「既登録の削除」の各処理に対応するチェックボタン２３1〜２３3が示されて、端末操作者に対し、いずれかの処理を選択するように促される。これに対応して、端末操作者は、「新規登録」の処理を選択すべく、マウスカーソルＭＣをチェックボタン２３1の表示領域に位置させてクリックし、次に入力ボックス２４2の表示領域に位置させてクリックした後、入力部により登録者ＩＤを入力する。この後、同様に、端末操作者は、マウスカーソルＭＣを入力ボックス２４3の表示領域に位置させてクリックした後、入力部によりパスワードを入力する。そして、これらの操作が完了すると、端末操作者は、その旨をサーバ１０側に伝えるべく、マウスカーソルＭＣをボタン２５の表示領域に位置させてクリックする。
【００１７】かかる操作により、手順がステップＳｂ２に進み、制御手段１１は、重複登録を避けるべく、入力された登録者ＩＤとパスワードとがすでに使用されているか否かについて、すでに作成した顧客ファイルを検索することによりチェックする。ここで、制御手段１１は、すでにこれらが使用されていると判定すれば、手順をステップＳｂ１５に進ませ、端末１０１の表示部に対して「ＩＤかパスワードが不正である」を旨を表示させる制御をした後、手順をステップＳｂ１に戻して再び登録メニュー画面を表示させる。一方、制御手段１１は、使用されていないと判定すれば、次のステップＳｂ３の処理を行なう。
【００１８】ステップＳｂ３において、制御手段１１は、端末１０１に対して、図７に示す位置指定画面を表示させる制御を行なって、端末操作者に対し、広告すべき店舗の位置指定を促す。ここで、表示される地図は、記憶手段１５に記憶された地図ファイルに基づくものである。なお、図７に示すものは、東京都千代田区神田界隈（秋葉原駅周辺）を示す下層の区分地図である。端末操作者は、表示された地図上において、広告の対象となる店舗の位置を、マウスカーソルＭＣにより指してクリックする。すると、制御手段１１は、この地図を示すコードと、この地図上において指定された位置の座標を示す（ｘ、ｙ）情報とを求めて、これらの情報を一旦格納した後に、次のステップＳｂ４の処理を行なう。
【００１９】ステップＳｂ４において、制御手段１１は、端末１０１に対して、図８〜図１０に示す店舗情報入力画面を表示させる制御を行なって、端末操作者に対し、店舗情報の入力を促す。なお、図８〜図１０に示した店舗情報入力画面は、別個の画面ではなく、ボタン２２Ｕまたは２２Ｄにより上下スクロールする連続画面である。端末操作者は、かかる店舗情報入力画面において、各入力ボックス２６1〜２６11に、マウスカーソルＭＣや入力部等を用いて必要な情報を入力を行なうとともに、ボタン２７1〜２７3を用いて所定の項目を選択する。ここで、ボタン２７1〜２７3は、いずれもプルダウンメニューを表示させるボタンであり、ここにマウスカーソルＭＣを合わせて、マウスボタンを押下すると複数の項目が表われ、押下した状態を保ったまま該当する項目に合わせてマウスボタンを離すと、当該項目が選択されるようになっている。例えば、ボタン２７1にマウスカーソルＭＣを合わせて、マウスボタンを押下すると、デパートの他に種々の業種が表示され、押下した状態を保ったまま、該当する項目にマウスカーソルＭＣを合わせて、マウスボタンを離すと、その時点の項目が入力値として選択される。なお、ボタン２７2は、入力ボックス２６7に入力された広告メッセージをＨＴＭＬ（Hyper Text Make up Language）で記述したか、純粋なテキスト形式で記述したかを選択するボタンである。また、ボタン２７3に対応する「フォローシートの転送」とは、後述する広告案内において、広告受給者からのメッセージ（フォローシート）を、広告依頼者に転送することをいう。すなわち、ボタン２７3により、広告受給者からのフォローシートを広告依頼者に転送するか否かが、さらに転送する場合にはその頻度についても選択されるようになっている。このようにして、端末操作者が、必要な情報を入力し終わると、ボタン２８1をマウスでクリックする。なお、入力した情報をクリアにする場合には、ボタン２８2を押下する。
【００２０】ボタン２８1が押下されると、制御手段１１は手順をステップＳｂ５に進ませ、入力された店舗情報を、端末１０１の表示部に表示させて、その内容の確認を端末操作者に促す。この際、端末操作者が、店舗情報の再入力を行なうのであれば、所定の操作を行なう。これにより、制御手段１１の制御によって先の店舗情報入力画面に戻る一方、店舗情報に誤りがなければ、手順はステップＳｂ６に進む。ステップＳｂ６において制御手段１１は、端末１０１の表示部に対し、「登録しました」旨の表示を行なうとともに、登録メニュー画面、位置指定画面および店舗情報入力画面において入力された情報を、１つの顧客ファイルとして、特に、店舗情報入力画面において入力された情報については店舗情報として記憶手段１７に格納する。この際に付与された店登録番号は、制御手段１１の制御により端末１０１の表示部に表示されて、端末操作者に告知される。この後、制御手段１１は、手順をステップＳｂ１の登録メニュー画面表示に戻す。このようにして、新規の広告依頼主が行なった入力に対して１つの顧客ファイルが作成される。
【００２１】２−１−２：既登録の変更　…
【００２４】２−１−３：既登録の削除　…」
　
「【００２７】２−２：広告の受給
次に、顧客ファイルに基づいて、いかにして広告が行なわれるかについて説明する。この場合も、登録時と同様に、説明の便宜上、サーバ１０には端末１０１が接続されたとして説明を行なう。なお、サーバ１０に端末１０１が接続されてから、図３に示したステップＳａ１の処理（メインメニュー画面の表示）までの過程は、登録時と同様であるので、かかる過程の説明については省略する。さて、本実施形態における広告の受給は、広告受給者たる端末操作者に対して「地図」、「仮想マーケット」、「検索」の３機能により行なうことを想定している。このうち「地図」は、主に地域的な面から店舗を検索し、また、「仮想マーケット」は、主に業種の面から店舗を検索し、「検索」は、顧客ファイルの文字列を検索して、それぞれ該当する店舗の情報を供給して、広告を行なうものである。
【００２８】２−２−１：地図
まず、「地図」について説明する。この場合、店舗情報を受ける端末操作者は、図３に示したステップＳａ１のメインメニュー画面（図５参照）において、「地図」のボタン２１1をクリックする。すると、制御手段１１は、手順をステップＳａ２に進ませ、上層の地図ファイルを記憶手段１５から読み出し、端末１０１の表示部に、当該ファイルに基づく日本地図とともに、地域的な限定をするように促すメッセージを表示させる制御を行なう。このときに端末１０１の表示部に表示される画面を図１１に示す。ここで、端末操作者は、例えば、表示地図上の東京にマウスカーソルＭＣを合わせてクリックしたとする。すると制御手段１１は、手順をステップＳａ３に進ませて、中層の地図ファイルのうち、位置指定された東京の地図ファイルを記憶手段１５から読み出し、端末１０１の表示部に、当該ファイルに基づく東京都近郊の地図とともに、さらに、地域的な限定をするように促すメッセージを表示させる制御を行なう。このときに端末１０１の表示部に表示される画面を図１２に示す。この画面に対し、端末操作者は、表示地図上の「秋葉原周辺」にマウスカーソルＭＣを合わせてクリックしたとすると、手順は次のステップＳａ４に進む。
【００２９】ステップＳａ４において制御手段１１は、まず、下層の地図ファイルのうち、位置指定された秋葉原近郊の地図ファイルを記憶手段１５から読み出し、端末１０１の表示部に、当該ファイルに基づく秋葉原近郊の地図を表示させる。次に、制御手段１１は、記憶手段１７に格納された顧客ファイルのうち、地図コードが、先に読み出された秋葉原近郊の地図ファイルを示すものを検索して抽出する。そして、制御手段１１は、抽出された顧客ファイルの（ｘ、ｙ）情報を読み出し、その情報で示される座標位置に、業種情報に対応するアイコンを、必要であればその店名とともに、表示した地図に上書きして表示させる。なお、かかる上書き表示は、抽出した顧客ファイルのすべてに対応して行なわれる。また、アイコンのビットマップデータは、業種情報に対応するものが記憶手段１６から読み出される。このときに端末１０１の表示部に表示される画面を図１３に示す。なお、かかる表示画面に示されるメッセージ中、アンダーラインが付されている文字部分をマウスクリックすることにより、表示された地図およびアイコンが、当該メッセージで示される方向にスクロール移動するようになっている。かかる制御も制御手段１１が行なっている。また、この表示画面のボタン３１をマウスでクリックすれば、前述したステップＳｂ１の登録メニュー画面表示に移行し、また、所定の操作により後述するステップＳａ８にも移行することができるようにもなっている。
【００３０】さて、端末操作者は、かかる画面にアイコン化されている店舗情報を欲する場合には、そのアイコンをマウスによりクリックする。例えば、当該画面には、先に登録動作で説明した「○○デパート」が、指定された位置にアイコン化されて表示されているが、端末操作者は、この「○○デパート」の詳細情報を欲する場合、同図に示すように「○○デパート」のアイコンにマウスカーソルを合わせてクリックする。かかる操作により制御手段１１は、手順をステップＳａ５に進ませ、地図上でクリックされた座標を検出し、この座標に一致する、あるいは最も近傍の（ｘ、ｙ）情報を有する顧客ファイルを検索して見つけ、さらに、当該顧客ファイルの店舗情報を読み出して、端末１０１の表示部に表示させる。かかる動作により、例えば、クリックしたアイコンが「○○デパート」であれば、この顧客ファイルが検索されて、図１４に示したように、先に広告依頼人が店舗情報入力画面により入力した店舗情報が表示される。
【００３１】このように、広告受給者たる端末操作者は、表示部に表示された地図と、その地図上に重ねられたアイコンとを見ながら、アイコンをクリックするのみにより、そのアイコン化された店舗の情報を得ることができる。一方、この店舗情報は、広告依頼者のみにより容易に修正可能である。したがって、かかる実施形態によれば、広告記載依頼から実際の広告頒布までのタイムラグを短くすることができ、しかも、広告情報の信頼性を保つこともできるのである。
【００３２】さて、図１４に示した画面には、クリックされたアイコンの店舗情報のほかに、その店舗情報を見た広告受給者自身が記入する画面が連続している。この画面を図１５および図１６に示す。これらの図に示すように、記入画面には、広告受給者自身に関する事項や、通信環境等の事項等を記入するための入力ボックス３２1〜３２5、それらの事項をプルダウン形式で選択させるボタン３３1〜３３4、および店舗情報の感想・意見を記入する入力ボックス３４が設けられる。そして、この画面にしたがって入力された情報は、広告受給者たる端末操作者がボタン３５2をマウスクリックすれば消去される一方、端末操作者がボタン３５1をマウスクリックすればサーバ１０に送信されるようになっている。そして、サーバ１０に送信された情報は、制御手段１１によって、その日付時刻および店登録番号と関連づけられて記憶手段１４にフォローシートとして蓄積される。なお、広告受給者にとって、これらの事項を入力するのは義務ではなく任意である。そして、広告依頼者がボタン３５1を押下、あるいは所定の操作をすることにより、制御手段１１は、手順をステップＳａ１のメインメニュー画面表示に戻す。
【００３３】ところで、蓄積された情報は、図１０に示した画面におけるボタン２７3により設定された状態にしたがって広告依頼者に転送される。例えば、ある広告依頼者が１週間に１度の頻度で転送を希望する旨が設定されているのであれば、サーバ１０内の制御手段１１は、その広告依頼者の店登録番号に関連づけられて蓄積された情報であって、一週間以内に送信された情報を検索して抽出し、抽出された情報をＦＡＸでまとめて転送する。この場合、転送作業は、一週間毎に行なわれ、その際のＦＡＸ番号は、店登録番号の顧客ファイルに対応するものである。なお、広告依頼者がフォローシートの転送を希望しない旨の設定がされているのであれば、制御手段１１は、広告受給者からの情報を受信しても不要なのでこれを破棄する。
【００３４】このように、広告依頼者には、その広告情報を見た広告受給者からの反応や感想などが、直接に、しかも設定によっては迅速に伝えることができる。したがって、本実施形態によれば、店舗情報の供給が、従来における広告依頼者から広告受給者への一方向的のみならず、広告受給者から広告依頼者への方向でも行なわれるので、広告依頼者は、その広告受給者の反応や、感想を考慮しながら、広告や営業活動を行なうことが可能となる。」
　
　上記記載特に段落【００１０】及び図１によれば、引用例３には、インターネットＮＥＴにサーバ１０と端末１０１、１０２、…が接続された広告情報の供給のためのコンピュータシステムが記載されているものと認められる。
　また、上記記載特に段落【００１１】〜【００１２】、【００１８】〜【００１９】及び図２によれば、サーバ１０は、制御手段１１、入力制御手段１２、出力制御手段１３、メインプログラム記憶手段１４、地図ファイル記憶手段１５、キャラクタファイル記憶手段１６及び顧客ファイル記憶手段１７を有しており、キャラクタファイルは、表示用文字データや、アイコンのビットマップデータ等から構成されており、これらの表示用文字データやアイコンは、図１３に示されるように、地図上に表示されるものであり、また、顧客ファイルは、店登録番号毎に作成されるものであり、１つの店登録番号に対応する顧客ファイルは、登録者ＩＤ、パスワード、店舗情報、（ｘ，ｙ）情報等のように店舗固有の情報から構成され、このうち、店舗情報は、図８から図１０に示されるように、さらに店名や、電話番号、ファックス番号、（最寄り駅から店舗までの）行程、店舗の業種を示す業種情報、（他の情報と結びつける場合に、参照すべきネットワーク上の情報の行先を示す）リンク情報、（広告の内容を示す）広告メッセージ等のように、広告対象の店舗に関する種々の情報から構成されるものと認められる。
　また、上記記載特に【００２７】〜【００３２】及び図１３〜図１６によれば、制御手段１１は、地図ファイルを地図ファイル記憶手段１５から読み出し、端末１０１の表示部に地図を表示させるとともに、顧客ファイルの（ｘ、ｙ）情報を読み出し、その情報で示される座標位置に、業種情報に対応するアイコンを、必要であればその店名とともに、表示した地図に上書きして表示させる一方、広告受給者は、インターネットに接続された端末においてアイコンをマウスでクリックすることにより、店舗情報を表示して、図１４に示されるように住所、電話番号及びその他の情報を検索することができるとともに、図１６に示されるように、広告受給者自身の情報、例えば、その住所を記入することができるものと認められる。
　
　以上によれば、引用例３には、
「インターネットにサーバと端末が接続された広告用システムであって、
　前記サーバは、制御手段、入出力制御手段、地図ファイル記憶手段、キャラクタファイル記憶手段及び顧客ファイル記憶手段を有しており、
　前記キャラクタファイルは、表示用文字データやアイコンのビットマップデータ等から構成されており、これらの表示用文字データやアイコンは、地図上に表示されるものであり、
　また、前記顧客ファイルは、登録者ＩＤ、パスワード、店舗情報、（ｘ，ｙ）情報等のように店舗固有の情報から構成され、このうち、店舗情報は、店名や、電話番号、ファックス番号、最寄り駅から店舗までの行程、店舗の業種を示す業種情報、リンク情報、広告の内容を示す広告メッセージ等の広告対象の店舗に関する種々の情報から構成されており、
　前記制御手段は、地図ファイルを地図ファイル記憶手段から読み出し、地図を表示させるとともに、顧客ファイルの（ｘ、ｙ）情報を読み出し、その情報で示される座標位置に、業種情報に対応するアイコンを、必要であればその店名とともに、表示した地図に上書きして表示させる一方、
　広告受給者は、インターネットに接続された端末において地図上のアイコンをマウスでクリックすることにより、店舗情報を表示して、住所、電話番号及びその他の情報を検索することができるとともに、広告受給者自身の情報、例えば、その住所を記入することができる広告用システム。」の発明（以下「引用発明」という。）が記載されているものと認められる。
　
３．対比
　本願補正発明と引用発明を対比するに、引用発明の「広告受給者」が本願補正発明の「ユーザー」に相当し、引用発明の「広告用システム」は、広告受給者に地図情報を提供しているから、「ユーザーに地図情報を提供する地図情報の検索システム」であるといえる。
　また、引用発明の「地図ファイル記憶手段」は、「地図情報を格納する地図データベース」である点で本願補正発明の「地図データベース」と一致する。
　また、引用発明の「キャラクタファイル記憶手段」は、地図上に上書きして表示されるアイコンを記憶するものであるから、「地図上に合成されて挿入される各種オブジェクトを格納するオブジェクトデータベース」である点で本願補正発明の「オブジェクトデータベース」と一致する。
　また、引用発明の「顧客ファイル記憶手段」は、「地図上の諸施設及び合成されて挿入されたオブジェクトに付随する各種属性情報を格納する属性情報データベース」である点で本願補正発明の「属性情報データベース」と一致する。
　また、引用発明の「制御手段」は、地図ファイル記憶手段、キャラクタファイル記憶手段及び顧客ファイル記憶手段について、検索並びに更新を行っていることが明らかであるから、本願補正発明の「各データベースの検索及び更新を処理するデータベース管理手段」に相当する。
　また、引用発明の「制御手段」は、アイコンの生成及び編集を行い、キャラクタファイル記憶手段に格納しているから、「地図上に合成されて挿入されるオブジェクトの生成と編集とを処理しオブジェクトデータベースに格納するオブジェクト管理手段」である点で本願補正発明の「オブジェクト管理手段」と一致する。
　また、引用発明の「インターネット」、「端末」、「入出力制御手段」及び「サーバ」は、本願発明の「通信ネットワーク」、「ユーザー端末」、「Ｗｅｂサーバー」及び「システム管理装置」にそれぞれ相当している。
　そして、引用発明の「サーバ」は、入出力制御手段により、広告受給者がインターネットに接続された端末において地図上のアイコンをクリックしたときに、店舗情報を表示して、店舗の住所、電話番号及びその他の情報を検索することを可能とするとともに、広告受給者自身の情報、例えば、その住所の記入を可能とするものであるから、「Ｗｅｂサーバーにより、前記ユーザー端末から地図上で対象物のオブジェクトが指定されることによって、該対象物の電話番号、データ検索および記入操作を含む各種属性へのアクセス及び編集を可能にする」ものである点で本願補正発明の「システム管理装置」と一致する。
　
　以上のことから、両者はともに
「ユーザーに地図情報を提供する地図情報の検索システムであって、
　地図情報を格納する地図データベースと、
　前記地図上に合成されて挿入される各種オブジェクトを格納するオブジェクトデータベースと、
　前記地図上に合成されて挿入されたオブジェクトに付随する各種属性情報を格納する属性情報データベースと、
　前記各データベースの検索及び更新を処理するデータベース管理手段と、
　前記地図上に合成されて挿入されるオブジェクトを前記オブジェクトデータベースに格納するオブジェクト管理手段と、
　前記地図上に合成されて挿入されるオブジェクトに付随する情報として定義され編集された各種属性情報を前記属性情報データベースに格納する属性情報管理手段と、　
　通信ネットワークを介してユーザー端末と地図情報の授受を行うＷｅｂサーバーと、を備えるシステム管理装置を有し、　
　前記システム管理装置は、前記Ｗｅｂサーバーにより、前記ユーザー端末から前記地図上で対象物である諸施設または他のオブジェクトが指定されることによって、該対象物の電話番号、データ検索および記入操作を含む各種属性へのアクセス及び編集を可能にする地図情報検索システム。」の発明である点で一致する。
　
　一方、両者は、次の点で相違する。
ａ．本願補正発明は、地図データベースが格納する地図が、ビル及び建造物を含む諸施設を立体化して表示する３次元の白地図であり、３次元表示による各種地図情報を提供するものであるのに対し、引用発明の地図は２次元の地図である点。
ｂ．本願補正発明は、オブジェクトデータベースに格納されるオブジェクトがアニメーション表示可能な３次元のオブジェクトであるのに対し、引用発明のオブジェクトはこのようなものでない点。
ｃ．本願補正発明は、前記白地図上に前記オブジェクトが合成されて挿入され編集された編集地図情報を格納する編集地図データベースを有しているのに対し、引用発明は、編集地図データベースを有していない点。
ｄ．本願補正発明は、オブジェクト管理手段がアニメーション表示により変化及び移動する３次元のオブジェクトの生成と編集を処理するものであるのに対し、引用発明はこのようなものでない点。
ｅ．本願補正発明は、前記オブジェクト管理手段及び属性情報管理手段によって処理された前記白地図と前記オブジェクトとが合成された３次元地図上に速度と進行方向の属性を有する広告宣伝媒体を予め定められた法則に基づきアニメーション表示により変化及び移動させて表示するための編集地図情報を前記編集地図データベースに格納する編集地図管理手段を有しているのに対し、引用発明は、このような編集地図管理手段を有していない点。
ｆ．本件補正発明は、ユーザ端末から「宅配票」の記入操作を可能としているのに対し、引用発明は、「宅配票」の記入操作を行うものでない点。
　
４．相違点についての検討
　相違点ａについて検討するに、ビル及び建造物を含む諸施設を立体化して３次元的に地図表示することは、原査定の拒絶理由に引用された特開平５−２７６７７号公報（以下「引用例２」という。）に記載されているように周知であるから、引用発明における地図を３次元の白地図として３次元表示をすることは、当業者が容易に想到し得たものと認められる。
　相違点ｂについて検討するに、引用発明が店舗の広告のためのシステムであることに照らせば、その店舗を表すアイコンをより目立つように、アニメーション表示可能な３次元のオブジェクトとすることは、当業者が容易に想到しえたものと認められる。
　相違点ｃについて検討するに、引用発明は、地図ファイル記憶手段から読み出した地図上に業種を表すアイコンをその都度、顧客ファイルの（ｘ，ｙ）情報に基いて上書きして表示しているが、予め地図上に上書きしたものをファイルにしておけば、その都度上書き表示する必要がなくなることは当業者に明らかであり、何れの手法を採用するかは、単なる設計上の事項にすぎず、本願補正発明のごとく、地図とオブジェクトを合成した編集地図データベースを備えるようにすることは、当業者が必要に応じて適宜成し得たものと認められる。
　相違点ｄについて検討するに、引用発明は、広告情報を顧客ファイルに広告メッセージとして有し、これを表示するものであるが、実世界における広告手段としては、看板に広告メッセージを表示することも、電光掲示板に広告メッセージ表示することも、車や飛行船のような移動体に広告メッセージを表示することもよく知られているところであり、また、原査定に引用された特開平９−８１７８２号公報（以下「引用例１」という。）には、端末の表示画面に示された３次元空間に実世界における広告手段である広告灯を導入して広告表示を行わせることが記載され（【０１０３】等参照。）、また、同じく端末の表示画面に示された３次元空間において、人物やパレードのような３次元のオブジェクトを変化させながら移動させることが記載されている（【００６８】〜【００７１】等参照）ことを考えれば、引用発明のように単に広告メッセージを表示するだけでなく、実世界における広告手段である車や飛行船のような移動体による広告手段を端末画面に表示される地図世界に導入して、本願補正発明のごとく、アニメーション表示により３次元のオブジェクトを表示地図中で変化及び移動させるようにすることに困難性は認められない。　
　相違点ｅについて検討するに、広告メッセージが表示された車や飛行船のような広告宣伝媒体を表示地図中でアニメーション表示により変化及び移動させるにあたり、予め定められた法則に従うようにするかランダムなものとするかは適宜選択できる事項にすぎず、また、それをアニメーション表示するための地図について、地図ファイルから読み出した地図にその都度オブジェクト及びその属性情報を合成するようにするか、予め合成されたものを編集地図ファイルとしておくかは単なる設計事項にすぎず、合成された編集地図ファイルをデータベースに格納する手段を設けるようにすることは、当業者が必要に応じて適宜採用し得るものであると認められる。
　相違点ｆについて検討するに、引用発明は、広告受給者が自身の住所を記入できるものであるから、「宅配票」の記入操作を可能とすることは、当業者が容易に成し得たものと認められる。
　
　以上のとおりであり、また、その効果についても、上記引用例１ないし３に記載された事項に基づいて当業者が予測可能なものであって格別のものとはいえず、本願補正発明は、引用例１ないし３に記載された発明に基いて当業者が容易に発明できたものと認められる。
　
５．むすび
　したがって、本件補正は、本願補正発明が特許法第２９条第２項の規定により特許出願の際独立して特許を受けることができないものであるから、平成１４年法律第２４号による改正前の特許法第１７条の２第５項で準用する同法第１２６条第４項の規定に違反するので、同法第１５９条第１項で読み替えて準用する同法第５３条第１項の規定により却下すべきものである。
　
III．本願発明について
１．本願発明
　平成１８年１１月２７日付けの手続補正は上記のとおり却下されたので、本願の請求項に係る発明は、平成１８年５月２９日付け手続補正書により補正された本願明細書の特許請求の範囲の請求項１ないし５に記載された事項によって特定されるものであるところ、その請求項１に係る発明（以下、「本願発明」という。）は、上記本願補正発明において、「前記システム管理装置は、前記Ｗｅｂサーバーにより、前記ユーザー端末から前記３次元地図上で対象物である諸施設または他のオブジェクトが指定されることによって、該対象物の電話番号、データ検索および宅配票の記入操作を含む各種属性へのアクセス及び編集を可能にする」との事項を欠くものである。
　
２．判断
　してみれば、本願発明にさらに限定を加えたものである本願補正発明が上記II．［II］４．での検討のとおり、上記引用例１ないし３に記載された発明に基いて当業者が容易に発明できたものであることを考えれば、本願発明が同様の理由により上記引用例１ないし３に記載された発明に基いて当業者が容易に発明できたものであることは明らかである。
　
３．むすび
　したがって、本願発明は、上記引用例１ないし３に記載された発明に基いて当業者が容易に発明できたものであるから、特許法第２９条第２項の規定により特許を受けることができない。
　よって、結論のとおり審決する。